(57)【要約】      （修正有）【課題】家庭でも簡単にフレーバー飲料を作ることができるフレーバー飲料注出器を提供する。【解決手段】フレーバー素材を収容するフレーバー素材収容室５０と、飲料を収容する飲料収容室１０と、飲料収容室に収容された飲料をフレーバー素材収容室の底部からフレーバー素材収容室内に送給する飲料送給手段と、フレーバー素材収容室内でフレーバー素材によって香り付けされた飲料をフィルター３４を通して注出するレバー４３付き飲料注出部（蛇口）とを備えている。【選択図】図１
0003204918.tif 000002
【実用新案登録請求の範囲】
【請求項１】
フレーバー素材を収容するフレーバー素材収容室と、飲料を収容する飲料収容室と、前記飲料収容室に収容された飲料を前記フレーバー素材収容室内に送給する飲料送給手段と、前記フレーバー素材収容室内で前記フレーバー素材によって香り付けされた飲料を注出する飲料注出部とを備えたことを特徴とするフレーバー飲料注出器。
【請求項２】
前記飲料収容室には、前記飲料が入った飲料容器を収容可能となっていることを特徴とする請求項１に記載のフレーバー飲料注出器。
【請求項３】
前記飲料収容室の上に前記フレーバー素材収容室が設けられ、前記飲料送給手段によって前記フレーバー素材収容室の底部から当該フレーバー素材収容室内に前記飲料が送給されることを特徴とする請求項１又は請求項２に記載のフレーバー飲料注出器。
【請求項４】
前記飲料の送給路に逆止弁が設けられていることを特徴とする請求項３に記載のフレーバー飲料注出器。
【請求項５】
飲料注出路にフィルターが設けられていることを特徴とする請求項１から請求項４のいずれか一項に記載のフレーバー飲料注出器。
【考案の詳細な説明】
【技術分野】
【０００１】
本考案は、フレーバー飲料注出器に関するものである。
【背景技術】
【０００２】
近年、ビールに香り付けをしたフレーバービールが人気を博している。このフレーバービールは、ビールに、レモンやリンゴ等の香りを付けたもので、香りと味とを堪能できる。
【０００３】
ところで、このようなフレーバービールは、最初から香り付けをしたビールを瓶や缶に封入した形で市場に提供されている。
【先行技術文献】
【特許文献】
【０００４】
【非特許文献１】http://gathery.recruit-lifestyle.co.jp/article/1142357089561964201
【考案の概要】
【考案が解決しようとする課題】
【０００５】
しかしながら、最初から香り付けをしたビールを買って容易しておくのは面倒である。
一方、家庭でも、ビールに所望の果物の果汁を絞って入れ、フレーバービールを作ることもできるが、ビールを注ぐ毎に果汁を搾ったりするのも面倒である。
【０００６】
本考案は、かかる問題点に鑑みなされたもので、家庭でも簡単にフレーバー飲料を作ることができるフレーバー飲料注出器を提供することを目的とする。
【課題を解決するための手段】
【０００７】
請求項１に記載のフレーバー飲料注出器は、
フレーバー素材を収容するフレーバー素材収容室と、飲料を収容する飲料収容室と、前記飲料収容室に収容された飲料を前記フレーバー素材収容室内に送給する飲料送給手段と、前記フレーバー素材収容室内で前記フレーバー素材によって香り付けされた飲料を注出する飲料注出部とを備えたことを特徴とする。
【０００８】
請求項２に記載のフレーバー飲料注出器は、請求項１に記載のフレーバー飲料注出器であって、前記飲料収容室には、前記飲料が入った飲料容器を収容可能となっていることを特徴とする。
【０００９】
請求項３に記載のフレーバー飲料注出器は、請求項１又は請求項２に記載のフレーバー飲料注出器であって、前記飲料収容室の上に前記フレーバー素材収容室が設けられ、前記飲料送給手段によって前記フレーバー素材収容室の底部から当該フレーバー素材収容室内に前記飲料が送給されることを特徴とする。
また、請求項４に記載のフレーバー飲料注出器は、請求項３に記載のフレーバー飲料注出器であって、前記飲料の送給路に逆止弁が設けられていることを特徴とする。
【００１０】
請求項５に記載のフレーバー飲料注出器は、請求項１から請求項４のいずれか一項に記載のフレーバー飲料注出器であって、飲料注出路にフィルターが設けられていることを特徴とする。
【考案の効果】
【００１１】
請求項１に記載のフレーバー飲料注出器によれば、フレーバーをフレーバー素材収容室に収容するとともに、飲料を飲料収容室に収容した後、前記飲料収容室に収容された飲料を飲料送給手段により前記フレーバー素材収容室内に送給すれば、フレーバー容器内で香り付けをした飲料が形成されるので、簡単にフレーバー飲料を作ることができる。
【００１２】
請求項２に記載のフレーバー飲料注出器によれば、飲料収容室には、飲料が入った飲料容器を収容可能となっており、飲料容器に入った飲料をフレーバー素材収容室に送給するので、簡単にフレーバー飲料を作ることができる。
【００１３】
請求項３に記載のフレーバー飲料注出器によれば、飲料収容室の上にフレーバー素材収容室が設けられ、飲料をフレーバー素材収容室に引き上げるようにしているので、フレーバー素材収容室の上から飲料を送給する場合に比べて、泡立ちが少なくなる。また、請求項４に記載のフレーバー飲料注出器によれば、逆止弁を設けているので、フレーバー収容室から飲料収容室への飲料の逆流が防げる。
【００１４】
請求項５に記載のフレーバー飲料注出器によれば、フィルターが設けられているので、フレーバー素材の塊の注出を防ぐことができる。
【図面の簡単な説明】
【００１５】
【図１】本考案の一実施形態のフレーバー飲料注出器と、ビール缶及びグラスとを示した斜視図である。
【図２】図１のフレーバー飲料注出器の飲料収容部を示した斜視図である。
【図３】図２の飲料収容部の前郭を取り外した状態を示した斜視図である。
【図４】図２の飲料収容部の前郭及び後蓋を取り外した状態を示した斜視図である。
【図５】テーブル及び回転体を示した斜視図である。
【図６】テーブル、回転体及びレバーを示した斜視図である。
【図７】天井部材を斜め下側から見た状態を示した斜視図である。
【図８】天井部材を斜め上側から見た状態を示した斜視図である。
【図９】飲料導入パイプ及び逆止弁を示した断面図である。
【図１０】流出パイプ及び蛇口を説明するための図である。
【図１１】フレーバー飲料注出器の蓋を取り外した状態を示した斜視図である。
【図１２】保持枠を示した斜視図である。
【図１３】フレーバー素材収容容器を斜め上側から見た状態を示した斜視図である。
【図１４】フレーバー素材収容容器を斜め下側から見た状態を示した斜視図である。
【図１５】フィルターの平面図である。
【図１６】制御構成を示したブロック図である。
【考案を実施するための形態】
【００１６】
以下、本考案のフレーバー飲料注出器を図面に示した実施形態に基づいて説明する。
【００１７】
《全体構成》
図１は、本考案に係るフレーバー飲料注出器の斜視図である。本明細書においては、上下、左右及び前後は図１に示した向きを指すものとする。
実施形態のフレーバー飲料注出器１は、飲料収容部１０とフレーバー素材収容部５０とを備えている。このうちフレーバー素材収容部５０にはフレーバー素材が収容される。フレーバー素材としては、リンゴ、みかん等の果物の他、コーヒー豆等、飲料に香り付け可能な各種のものが入れられる。一方、飲料収容部１０にはビールその他の飲料が収容される。ビール以外の飲料としては焼酎、炭酸水、水等が入れられる。
そして、このフレーバー飲料注出器１によれば、フレーバー素材をフレーバー素材収容部５０に収容するとともに飲料を飲料収容部１０に収容した後、ボタン１１を押すと、飲料収容部１０に収容されている飲料がフレーバー素材収容部５０に引き上げられて香り付けされ、注出レバー４３を操作すると、フレーバー素材収容部５０からフレーバー飲料が注出される。
なお、このフレーバー飲料注出器１によれば、ボタン１２を押すと、フレーバー容器５０が底部側から照明され、視覚的にも、フレーバー飲料の作成過程を楽しむことができる。
【００１８】
《細部構成》
１．飲料収容部１０について
飲料収容部１０は、フレーバー飲料注出器１の下部構造を構成している。この飲料収容部１０は、図２に示すように、円柱状に形成されている。この飲料収容部１０の前側には円形のボタン１１と三日月形のボタン１２が設けられている。また、飲料収容部１０の内部は、図３及び図４に示すように、仕切り壁１４によって前室と後室とに仕切られている。図３は飲料収容部１０の前側の外郭１０ａを取り外した状態を示す図であり、図４はさらに飲料収容部１０の後側の蓋１００ｂを取り外した状態を示す図である。蓋１００ｂは後側の外郭１０ｂの一部を構成している。また、蓋１００ｂを除く後側の外郭１０ｂと仕切り壁１４とは一体となっている。
【００１９】
飲料収容部１０の前室にはボタン１１の裏側にスイッチＳＷ１が、ボタン１２の裏側にスイッチＳＷ２がそれぞれ設けられている（図１６参照）。また、図３に示すように、飲料収容部１０の前室にはモーターポンプ１５と電池収容室１６とが設けられている。モーターポンプ１５は飲料送給手段を構成する。なお、電池収容室１６に対する電池の出し入れは、仕切り壁１４に付設した蓋１７を後室側から取り外すことによって行う（図４参照）。
【００２０】
図４に示すように、飲料収容室を構成する後室の床１８の上には円盤状のテーブル１９が設けられている。このテーブル１９の上には、蓋１００ｂを外した状態で、ビール缶７０が載置される。このテーブル１９は床１８に対して上下動可能に設けられている。また、このテーブル１９の下端部は床１８の下方まで延びている。床１８の下方には、テーブル１５の下側に回転体２０が設けられている（図５参照）。この回転体２０の下端には半径方向外方に張り出す鍔部２０ａが形成され、この鍔部２０ａの上面には当接部２０ｂが起立して設けられている。一方、テーブル１９の外周部には、下方から当接部２０ｂが当接される被当接部１９ａが形成されている。この被当接部１９ａは水平面に対して傾斜している。そして、回転体２０が回転した際に当接部２０ｂが被当接部１９ａに摺接し、回転体２０の回転方向に応じて、テーブル１９が重力に逆らって上昇したり、重力によって下降したりする。
【００２１】
図６に示すように、回転体２０の横には軸２１ａを中心に回動可能なレバー２１が設けられている。
レバー２１の下端側のアームには長孔２１ｂが形成され、この長孔２１ｂには、回転体２０の当接部２０ｂの外面に形成された突起２０ｃが挿入されている。そして、レバー２１を一方向に操作すると、回転体２０が時計方向又は反時計方向のいずれか一方に回転し、レバー２１を他方向に操作すると、回転体２０が時計方向又は反時計方向のいずれか他方に回転する。これにより、テーブル１９が上昇したり、下降したりする。
なお、レバー２１に代えて、回転体２０の鍔部２０ａに操作摘みを床１８の上から操作可能に設けてもよい。レバー２１は回転体２０が上昇した位置でロック可能となっていることが好ましい。
【００２２】
飲料収容部１０は天井部材２２を有している。図７に示すように、天井部材２２の下側にはゴム製のパッキン２３が取り付けられている。パッキン２３は下面視で円形となっており、円筒状に垂れ下がる垂下部分２３ａを有している。この垂下部分２３ａの先端は飲料缶の上面に当接され、垂下部分２３ａの外周面は飲料缶の上面の外周縁内側に当接される。
また、天井部材２２には飲料導入口２２ａと通気口２２ｂとが形成されている。この飲料導入口２２ａと通気口２２ｂは天井部材２２及びパッキン２３を貫いて飲料収容部１０の後室に露出している。このうち飲料導入口２２ａには、下端側が飲料缶に挿入されるチューブ２４の上端部が取り付けられている。
【００２３】
図８に示すように、天井部材２２の上面側には、飲料導入口２２ａに連なる飲料導入パイプ２５と、通気口２２ｂに連なる通気パイプ２６とが設けられている。
図９（Ａ）に示すように、このうち飲料導入パイプ２５には逆止弁２７が設けられている。この逆止弁２７は、ボールから構成される弁体２７ａと、弁座２７ｂとを備える。弁体２７ａは図９（Ｂ）に示すように飲料圧力によって上昇し、弁座２７ｂから離れる。これによりフレーバー素材収容部５０に飲料が流入する。逆に、弁体２７ａが弁座２７ｂに着座したときには飲料の逆流が防止される。これによって、フレーバー素材収容部５０に飲料が溜まっている状態でも、テーブル１９に載せた飲料缶の交換が可能となる。
一方、通気パイプ２６はＬ字状に構成されている。この通気パイプ２６には、一端がモーターポンプ１５のパイプ１５ａ（図３参照）に連結されたチューブ２８の上端部が連結されている。なお、チューブ２８は必ずしも必要とされない。飲料収容部１０の前室と天井部材２２の上の空間とが繋がり、天井部材２２の上の空間の空気がモーターポンプ１５によって加圧されるように構成されていてもよい。
【００２４】
また、天井部材２２にはエルボ型の流出パイプ２９が付設されている。この流出パイプ２９の一端は上方に向けて開口している。また、流出パイプ２９の他端は前方に向けて開口している。この流出パイプ２９の前端部にはＬ字状のスリット２９ａが形成されている。このスリット２９ａは流出パイプ２９の基端側で当該流出パイプ２９の円周方向に延び、流出パイプ２９の先端側で前後方向に延び、流出パイプ２９の先端に開口している。このスリット２９ａには蛇口３０の突起３０ａが係合している。この蛇口３０及び流出パイプ２９は飲料注出路を構成する。スリット２９ａへの蛇口３０の突起３０ａの係合は、先ず、蛇口３０の突起３０ａをスリット２９ａの開口に合致させた状態で、蛇口３０をフレーバー飲料注出器１の内方に深く押し込んだ後、スリット２９に沿って所定方向に回転させることによりなされる。係合解除は、逆の手順でなされる。
【００２５】
図１０に示すように、蛇口３０には弁装置４０が組み込まれている。この弁装置４０は、弁体４０ａと弁座４０ｂとから構成されている。蛇口３０には、この弁装置４０と、弁体４０ａを弁座４０ｂ側に付勢するスプリング４１と、弁体４０ａに一体的に連結されたロッド４２と、ロッド４２の端部に軸４２ａを介して連結された注出レバー４３とが設けられている。そして、この注出レバー４３の下面は、一種のカムを構成し、前端側に円弧面４３ａを有している。
【００２６】
この弁装置４０においては、注出レバー４３を操作しないとき、弁体４０ａがスプリング４１の付勢力によって弁座４０ｂを閉塞する。一方、注出レバー４３を傾動させて操作すると、注出レバー４３の円弧面４３ａによってロッド４２が上方に引き上げられ、それによって弁体４０ａが弁座４０ｂから離間する。その結果、飲料収容部２０の飲料は、注出口４０ｃから注出される。
なお、この注出口４０ｃに連通される流路にはフィルター４５が設けられ、このフィルター４５によってフレーバー素材の塊が注出されるのを防止している。このフィルター４５は着脱可能となっており、交換可能となっている。
【００２７】
図１２に示すように、天井部材２２の上には保持枠３１が設けられている。図１３に示すように、保持枠３１は、円筒部３１ａと、円筒部３１ａの下端に内向きに形成された鍔部３１ｂとを有している。この円筒部３１ａの内周面には母線方向に延びる凸条３１０ａが、鍔部３１ｂの上面には半径方向に延びる凸条３１０ｂがそれぞれ円周方向に所定間隔で形成されている。また、鍔部３１ｂにはねじ挿通孔３１１ｂが形成されている。このねじ挿通孔３１１ｂには上方から雄ねじ（図示せず）が挿通され、雄ねじを天井部材２２のねじ孔２２ｃ（図３等参照）に螺合させることによって、天井部材２２の上に保持枠３１が取り付けられる。
なお、保持枠３１の鍔部３１ｂには２つの発光ダイオード４０（図３参照）のそれぞれに対応した孔３１２ｂが形成され、その中に発光ダイオード４０が設置されている。
そして、鍔部３１ｂの上には、フレーバー素材収容容器３２が着脱可能に載置される。
なお、保持枠３１及びフレーバー素材収容容器３２はフレーバー素材収容部５０を構成している。
【００２８】
図１３はフレーバー素材収容容器３２を上面側から見た斜視図、図１４はフレーバー素材収容容器３２を下面側から見た斜視図である。
このフレーバー素材収容容器３２は透明材料で有底円筒状に形成されている。このフレーバー素材収容容器３２はフレーバー素材収容室を構成している。フレーバー収容容器３２の底部には、飲料導入パイプ２５に連結される飲料導入口３２ａと、流出パイプ２９に連結される飲料流出口３２ｂとが形成されている。また、フレーバー素材収容容器３２内には底板上面に半径方向に延びる凸条３２ｃが円周方向に複数形成されている。
このフレーバー素材収容容器３２の上端部には蓋３２ａが取り付けられている。この蓋３２ａには通気孔（図示せず）が形成されている。
【００２９】
図１１に示すように、フレーバー素材収容容器３２の中央部には凸条３２ｃによって有底のパイプ３３が支持されている。このパイプ３３の内部は保冷助剤収容室を構成している。このパイプ３３も透明材料で形成されている。パイプ３３は、飲料を冷却や保温するための水、氷、塩等の保冷助剤を入れるために使用される。このパイプ３３の上端には蓋３３ａが設けられる。
【００３０】
さらに、図１に示すように、フレーバー素材収容容器３２内にはフィルター３４が設置されている。図１５に示すように、このフィルター３４は板状に形成され、中央にはパイプ３３が挿通される孔３４ａが形成されている。そして、その孔３４ａの回りには小さな孔３４ｂが多数形成されている。これによって、フレーバー素材の塊を捕捉できるようにされている。このフィルター３４は、上記フィルター４５よりも大きなフレーバー素材の塊を除去するためのものである。
【００３１】
次に、フレーバー飲料注出器１の制御構成を説明する。
この制御構成の電源は上記電池である。この制御構成は制御部８０を含み、制御部８０はスイッチＳＷ１及びスイッチＳＷ２に接続されるとともに、モーターポンプ１５及び発光ダイオード４０に接続されている。制御部８０は半導体集積回路によって構成され、スイッチＳＷ１が押されると、押されている間だけモーターポンプ１５を作動させる。また、制御部８０は、スイッチＳＷ２が押されると、発光ダイオード４０を点灯させる。この発光ダイオード４０の点灯は、スイッチＳＷ２から手を離しても継続される。そして、再度、スイッチＳＷ２が押されると、発光ダイオード４０を消灯させる。
なお、制御構成はワイヤードロジック回路で構成されていてもよい。
【００３２】
このように構成されたフレーバー飲料注出器１の使用方法の一例を説明すれば次の通りである。
先ず、図１１に示すように蓋３２ａを開け、フレーバー素材収容容器３２にフレーバー素材を入れる。また、蓋３３ａを開けて、パイプ３３に水、氷及び塩等を入れる。
そして、蓋３２ａ，３３ａを閉める。
続いて、飲料缶として例えばビール缶７０の注ぎ口を開けた後、蓋１００ｂを開けて、当該ビール缶７０をテーブル１９の上にセットした後、レバー２１を操作し、テーブル１９を上昇させ、ビール缶７０をパッキン２３に押し付ける。そして、蓋１００ｂを閉める。
次に、グラス９０を所定位置にセットするとともにボタン１１、１２を押す。ボタン１１を押すことにより、モーターポンプ１５が作動され、ビール缶７０内のビールは加圧される。これによって、ビール缶７０に入っていたビールがチューブ２４を通ってフレーバー素材収容容器３２内に引き上げられる。そして、ビールはフレーバー素材収容容器３２内のフレーバー素材によって香り付けされる。
その後に、注出レバー４３を操作すると、フレーバー素材収容容器３２内のビールが注出される。
【００３３】
以上、本考案の実施形態について説明したが、本考案は、かかる実施形態に限定されるものではなく、その要旨を逸脱しない範囲で、種々変形可能であることは言うまでもない。
【００３４】
例えば、上記実施形態では、フレーバー収容部５０を上に飲料収容部１０を下に設けたが、台座や脚を設けて、フレーバー収容部５０を下に飲料収容部１０を上に設けてもよい。また、台座や脚を設けて、フレーバー収容部５０と飲料収容部１０とを横に並べて設けてもよい。
【符号の説明】
【００３５】
１    フレーバー飲料注出器
１０    飲料収容部
１５    モーターポンプ
３４    フィルター
４５    フィルター
５０    フレーバー素材収容部
７０    ビール缶
【図１】
0003204918.tif 000003
【図２】
0003204918.tif 000004
【図３】
0003204918.tif 000005
【図４】
0003204918.tif 000006
【図５】
0003204918.tif 000007
【図６】
0003204918.tif 000008
【図７】
0003204918.tif 000009
【図８】
0003204918.tif 000010
【図９】
0003204918.tif 000011
【図１０】
0003204918.tif 000012
【図１１】
0003204918.tif 000013
【図１２】
0003204918.tif 000014
【図１３】
0003204918.tif 000015
【図１４】
0003204918.tif 000016
【図１５】
0003204918.tif 000017
【図１６】
0003204918.tif 000018